(57)【要約】【課題】洗浄性能の向上および洗濯時間の削減したドラム式洗濯機を提供すること。【解決手段】洗濯物を収容する回転ドラム３と、回転ドラム３を収容する水受け槽２と、水受け槽２内に給水する給水弁１１と、水受け槽２内の水位を検知する水位検知手段１２と、水受け槽２内の洗い水、すすぎ水を回転ドラム３内に吐出させる循環ポンプ１０と、回転ドラム３内へ温風を導入するヒータ２３を有する風路と、給水弁１１、循環ポンプ１０およびヒータ２２等を制御し、洗い工程を行う制御手段１４とを備え、前記制御手段１４は、洗い工程完了後の排水と脱水によりその含水量が少なくなった洗濯物に対し、回転ドラム３内への温風や加熱蒸気やミスト等の導入による洗濯物の加熱と回転ドラム３の回転による第２の洗い工程を行い、第２の洗い工程完了後の２回以上実施されるすすぎ工程における１回目のすすぎでは中間脱水を行わず給水してすすぎを行う。【選択図】図１
2014079350.tif 000002
【特許請求の範囲】
【請求項１】
洗濯物を収容する回転ドラムと、
前記回転ドラムを収容する水受け槽と、
前記水受け槽内に給水する給水手段と、
前記水受け槽内の水位を検知する水位検知手段と、
前記水受け槽内の洗い水を前記回転ドラム内に吐出させる水循環手段と、
前記回転ドラム内へ温風を導入する加熱手段を有する風路と、
前記回転ドラムを駆動させる駆動手段と
前記駆動手段、前記給水手段、前記水循環手段および前記加熱手段を制御し、洗い工程およびすすぎ工程を制御する制御手段とを備え、
前記制御手段は、第１の洗い工程完了後の排水と脱水行った洗濯物に対し、前記加熱手段による温風の導入と前記回転ドラムの回転による第２の洗い工程を行い、第２の洗い工程完了後、２回以上実施されるすすぎ工程における１回目のすすぎ工程において、中間脱水を行わず給水してすすぎを行うことを特徴とする洗濯機。
【請求項２】
前記第２の洗い工程完了直後では排水は行わず給水のみを実施することを特徴とする請求項１記載の洗濯機。
【請求項３】
省略した中間脱水にかかる時間とほぼ同等の時間を２回目のすすぎ工程の給水撹拌工程に付加することを特徴とする請求項１または２に記載の洗濯機。
【請求項４】
省略した中間脱水にかかる時間とほぼ同等の時間を１回目のすすぎ工程の給水撹拌工程に付加することを特徴とする請求項１または２に記載の洗濯機。
【請求項５】
省略した中間脱水にかかる時間とほぼ同等の時間を１回目と２回目のすすぎ工程の給水撹拌工程に付加することを特徴とする請求項１または２に記載の洗濯機。
【発明の詳細な説明】
【技術分野】
【０００１】
本発明は、回転ドラム内に洗濯物を投入し、洗い、すすぎなどの各工程を逐次制御して洗濯する洗濯機に関する。
【背景技術】
【０００２】
従来、ドラム式洗濯機は、洗い時の洗浄力やすすぎの性能、さらには節水性を高めるため、水槽の底部に集められた洗濯水を回転ドラム内に循環させる経路が設けられている。これにより、洗濯水と衣類との接触を増やしたり、循環水の噴射力により汚れを分離したり、少ない水量でも洗濯物を濡らすことができる。
【０００３】
更に、底部に加熱手段が設けられて、洗濯水を加熱して洗浄性能を向上することによっても洗浄力やすすぎ性能の向上が図られている。しかし、使用する水量の少ない洗濯機、特にドラム式洗濯機では、洗濯水の循環を行うと、底部の洗濯水の液面が低下し、加熱手段の表面が洗濯水面より出てしまう可能性がある。この状態で加熱手段を通電し続けると加熱手段表面が過加熱状態となり、構成する樹脂材料を溶解し、更には、加熱手段自体が断線してしまうことが起こる可能性があった。また、加熱手段で洗濯水を所定温度まで加熱するのに長時間を要し、また消費電力量も大きく不経済である問題があった。これに対し、温風を供給する温風供給装置を具備した洗濯機においては、水槽に配設した回転ドラムに洗濯物を収容し、水槽に給水して前記洗濯物を撹拌して洗い行った後、水槽から排水して、その後に、前記洗濯物を撹拌しつつ、前記温風供給装置により水槽の内部に温風を供給して前記洗濯物を加温して更に洗いを実行することが考案されている（例えば特許文献１参照）。
【先行技術文献】
【特許文献】
【０００４】
【特許文献１】特開２００６−２４７０６２号公報
【発明の概要】
【発明が解決しようとする課題】
【０００５】
しかし、このような従来の構成では、加熱手段での洗濯水の所定温度までの加熱と同様に長時間加熱する必要がなく、消費電力量も少なくなり、更に、ヒータの漏電に対する安全対策を厳しく実施する必要もないメリットはあるが、洗濯物への加熱において与えたエネルギーを有効に利用できない。
【０００６】
本発明は、前記従来の課題を解決すると共に、洗浄性能の向上および洗濯時間の削減した洗濯機を提供することを目的とする。
【課題を解決するための手段】
【０００７】
前記従来の課題を解決するために、本発明の洗濯機は、洗濯物を収容する回転ドラムと、前記回転ドラムを収容する水受け槽と、前記水受け槽内に給水する給水手段と、前記水受け槽内の水位を検知する水位検知手段と、前記水受け槽内の洗い水を前記回転ドラム内に吐出させる水循環手段と、前記回転ドラム内へ温風を導入する加熱手段を有する風路と、前記回転ドラムを駆動させる駆動手段と前記駆動手段、前記給水手段、前記水循環手段および前記加熱手段を制御し、洗い工程およびすすぎ工程を制御する制御手段とを備え、前記制御手段は、第１の洗い工程完了後の排水と脱水行った洗濯物に対し、前記加熱手段による温風の導入と前記回転ドラムの回転による第２の洗い工程を行い、第２の洗い工程完了後、２回以上実施されるすすぎ工程における１回目のすすぎ工程において、中間脱水を行わず給水してすすぎを行うものである。
【０００８】
これにより、洗濯物は第１の洗い工程完了後に排水と脱水が行われることにより、洗濯物に含まれる水量が低減され、その後の第２の洗い工程では回転ドラム内への温風の導入により洗濯物の温度は少ない熱量で上がり易くなる。これにより洗い工程で洗濯物に付着し剥がれ難かった汚れが『熱、洗濯物に残存している洗剤、回転ドラムの撹拌の力』により洗濯物から剥がれ易くなるため洗浄性能が向上することになる。更に、前記第２の洗い工程の後のすすぎ工程においては、その１回目のすすぎでは中間脱水をなくし給水撹拌のみを実施しているため洗濯物や洗濯内に残存している第２の洗い工程で加熱されたあたたかい水は残っており、ここにすすぎ用の水が給水されても洗濯物の温度は洗濯物が保有する熱量等により前記すすぎ用に給水される水の温度近くまで低下することはなく、暖かい水ですすぎが実施されることより、すすぎ中でも洗濯物に残存する洗剤の効果も伴い、すすぎと洗いが同時に実施されることになり、洗濯物から剥がれ易くなっている汚れがこのすすぎ中にも効率的に洗濯物より除去されることになるため、洗浄性能が大幅向上することになる。
【発明の効果】
【０００９】
本発明の洗濯機は、洗い工程における洗浄性能の向上、洗い時間の低減、使用エネルギーの削減を図ることができる。
【図面の簡単な説明】
【００１０】
【図１】本発明の実施の形態１における洗濯機の断面図
【図２】本発明の実施の形態１における洗濯機のブロック回路図
【図３】本発明の実施の形態１における洗濯機の洗い工程およびすすぎ工程の動作を示すタイムチャート
【発明を実施するための形態】
【００１１】
第１の発明の洗濯機は、洗濯物を収容する回転ドラムと、前記回転ドラムを収容する水受け槽と、前記水受け槽内に給水する給水手段と、前記水受け槽内の水位を検知する水位検知手段と、前記水受け槽内の洗い水を前記回転ドラム内に吐出させる水循環手段と、前記回転ドラム内へ温風を導入する加熱手段を有する風路と、前記回転ドラムを駆動させる駆動手段と前記駆動手段、前記給水手段、前記水循環手段および前記加熱手段を制御し、洗い工程およびすすぎ工程を制御する制御手段とを備え、前記制御手段は、第１の洗い工程完了後の排水と脱水行った洗濯物に対し、前記加熱手段による温風の導入と前記回転ドラムの回転による第２の洗い工程を行い、第２の洗い工程完了後、２回以上実施されるすすぎ工程における１回目のすすぎ工程において、中間脱水を行わず給水してすすぎを行うものである。
【００１２】
これにより、洗濯物は第１の洗い工程完了後に排水と脱水が行われることにより、洗濯物に含まれる水量が低減され、その後の第２の洗い工程では回転ドラム内への温風の導入により洗濯物の温度は少ない熱量で上がり易くなる。これにより洗い工程で洗濯物に付着し剥がれ難かった汚れが『熱、洗濯物に残存している洗剤、回転ドラムの撹拌の力』により洗濯物から剥がれ易くなるため洗浄性能が向上することになる。更に、前記第２の洗い工程の後のすすぎ工程においては、その１回目のすすぎでは中間脱水をなくし給水撹拌のみを実施しているため洗濯物や洗濯内に残存している第２の洗い工程で加熱されたあたたかい水は残っており、ここにすすぎ用の水が給水されても洗濯物の温度は洗濯物が保有する熱量等により前記すすぎ用に給水される水の温度近くまで低下することはなく、暖かい水ですすぎが実施されることより、すすぎ中でも洗濯物に残存する洗剤の効果も伴い、すすぎと洗いが同時に実施されることになり、洗濯物から剥がれ易くなっている汚れがこのすすぎ中にも効率的に洗濯物より除去されることになるため、洗浄性能が大幅向上する効果が得られる。
【００１３】
第２の発明は、前記第２の洗い工程完了直後では排水は行わず給水のみを実施するものである。これにより、第１の発明の効果に加え、洗濯機内に第２の洗い工程で暖められた洗濯水がより残るため、すすぎ水の温度がより高くなるため洗浄性能はより向上する効果が得られる。
【００１４】
第３の発明は、省略した中間脱水にかかる時間とほぼ同等の時間を２回目のすすぎ工程の給水撹拌工程に付加するものである。これにより、２回目のすすぎ工程の撹拌時間が長くなることで、２回目のすすぎ工程での洗いとすすぎの効果が共に向上するため、洗浄性能はより向上すると共にすすぎ性能も向上し洗濯物に残存する洗剤量をより低減できる効果が得られる。更に、洗濯時間も変わらずに洗濯が行える効果も得られる。
【００１５】
第４の発明は、省略した中間脱水にかかる時間とほぼ同等の時間を１回目のすすぎ工程の給水撹拌工程に付加するものである。これにより、１回目のすすぎ工程の撹拌時間が長くなることで、２回目のすすぎ工程での洗いとすすぎの効果が共に向上するため、洗浄性能はより向上すると共にすすぎ性能も向上し洗濯物に残存する洗剤量をより低減できる効果が得られる。更に、洗濯時間も変わらずに洗濯が行える効果も得られる。また、１回目のすすぎ工程と２回目のすすぎ工程では、１回目のすすぎ工程の方が洗剤濃度は高いため、同じ水量・すすぎ時間では１回目のすすぎ工程の方が洗濯物より洗剤を排出する効果は高いため、更にすすぎ性能は向上する効果が得られる。
【００１６】
第５の発明は、省略した中間脱水にかかる時間とほぼ同等の時間を１回目と２回目のすすぎ工程の給水撹拌工程に付加するものである。これにより、すすぎの撹拌時間が長くなることで、すすぎでの洗いとすすぎの効果が共に向上するため、洗浄性能はより向上すると共にすすぎ性能も向上し洗濯物に残存する洗剤量をより低減できる効果が得られる。更に、洗濯時間も変わらずに洗濯が行える効果も得られる。また、１回目のすすぎ工程は２回目のすすぎ工程よりもの方が洗剤濃度は高いため、同じ水量・すすぎ時間では１回目のすすぎ工程の方が洗濯物より洗剤を排出する効果は高いためすすぎ性能は向上する効果があり、２回目のすすぎ工程では柔軟剤が使用されるため、２回目のすすぎ工程での給水撹拌時間が長いと柔軟剤が更に洗濯物に分散され易くなる。このため、１回目のすすぎ工程と２回目のすすぎ工程の時間配分を考慮することにより、すすぎ性能と洗濯後の洗濯物の仕上がりのバランスが取れ易くなる効果が得られる。
【００１７】
以下、本発明の実施の形態について、図面を参照しながら説明する。なお、この実施の形態によって本発明が限定されるものではない。また、本発明で使用する洗濯水とは、洗い工程において用いられる、洗剤成分を含む水としての洗浄水と、すすぎ工程において用いられる、洗剤成分や汚れをすすぐ水としてのすすぎ水との、両方を包括するものである。また、循環シャワーとは、水循環手段の駆動により、循環経路から吐出される洗濯水を意味する。
【００１８】
（実施の形態１）
図１は、本発明の実施の形態１におけるドラム式洗濯機の断面図、図２は、本発明の実施の形態１におけるドラム式洗濯機のブロック回路図、図３は、本発明の実施の形態１におけるドラム式洗濯機の洗い工程の動作を示すタイムチャートである。
【００１９】
図１〜図３において、ドラム式洗濯機１の内部に水受け槽２が配設されている。水受け槽２の内側に洗濯槽としての回転ドラム３が水平な回転軸によって回転可能な状態で配設されている。回転ドラム３は、背面に接続されたモータ４により回転する。また、回転ドラム３は外周面に複数の通孔が設けられ、またその内壁面には数個の突起板が設けられている。回転ドラム３は、洗濯槽、脱水槽、乾燥槽としても機能するものである。
【００２０】
水受け槽２の後部側の最低部には、取水口５が接続されている。取水口５は、排水弁６によって開閉される排水管７につながっている。取水口５と排水弁６の間からは取水口５から取り込んだ洗濯水を回転ドラム３に吐出する吐出口８につながった循環経路９が連通している。循環ポンプ１０の駆動により、水受け槽２の洗濯水は循環経路９を通り、回転ドラム３に循環シャワーとして吐出される。このように、回転ドラム３内の洗濯物に循環水をかけることができる。水受け槽２の上方には、給水弁１１が設けられており、給水弁１１は水受け槽２内に水を給水する。水位検知手段１２は水受け槽２内の水位を検知するものである。
【００２１】
制御装置１３は、マイクロコンピュータで構成された制御手段１４を有し、パワースイッチング手段１５を介してモータ４、排水弁６、循環ポンプ１０、給水弁１１などの動作を制御し、洗い、すすぎ、脱水などの一連の工程を逐次制御する。入力設定手段１６は、運転コース等を設定するもので、制御手段１４は入力設定手段１６からの情報を入力して、その情報を基に表示手段１７を表示して使用者に知らせる。記憶手段１８は、制御手段１４により制御するのに必要なデータを記憶している。尚、１９は商用電源、２０は電源スイッチである。２１は、回転ドラム３の回転数を検知する回転数検知手段であり、この回転数検知手段２１の情報が制御手段１４に送られ、制御手段１４がパワースイッチング手段１５を介して回転ドラム３の回転数を制御する。
【００２２】
制御手段１４は、回転ドラム３の回転数を検知する回転数検知手段２１の情報から、パワースイッチング手段１５を介して回転ドラム３の回転数を制御する。風路２２には、洗濯物を加熱するヒータ２３（加熱手段）設けられており、風路２２は水受け槽２に設けられた通風口２４を通して、ヒータ２１によって加熱された風を回転ドラム３内に送風する構成となっている。また、ヒータ２１はモータ４等と同様に制御手段１４により制御される。
【００２３】
使用者がドラム式洗濯機１に洗濯物を投入し、電源スイッチ２０を押すと、入力設定手段１６が洗濯のコース等を入力できる様になる。入力設定手段１６からの情報により、制御手段１４は、表示手段１７を表示して使用者に知らせる。使用者が洗濯のスタートボタンを押して洗濯を開始すると、洗い工程の洗濯物重量検知工程を開始する。
【００２４】
洗濯物重量検知工程は、モータ４を制御して洗濯物とともに回転ドラム３を回転させる時のモータ４の電流信号の大きさを検出することによって行う。また、制御手段１４は、洗濯物量の判定結果により、洗剤量を決定し、表示手段１７を表示して使用者に知らせ、使用者が洗剤を投入する時間を考慮して、所定時間（例えば１分）経過した後に、制御手段１４は給水の準備に入る。
【００２５】
次に、制御手段１４は、洗い工程１（第１の洗い工程）を開始するために、給水弁１１を開放して給水を始める。この時、給水された水は、洗剤ケース（図示せず）を通り、洗剤ケースに投入された洗剤と一緒に水受け槽２に溜められていく。この時、回転ドラム３は一定方向に約５０ｒ／ｍｉｎで回転しており、循環ポンプ１０は駆動しており、水受け槽２の洗濯水は循環経路９を通り、回転ドラム３内に循環シャワーとして吐出される。制御手段１４は、水位検知手段１２により所定水位に到達したと判断すると、給水弁１１を閉じることにより、水受け槽２への給水を停止させ、循環ポンプ１０を停止させる。その後、制御手段１４は、回転ドラム３に対し約３０秒毎に右回転・左回転を行うタンブリングを実施させ、更に循環ポンプ１０の運転を開始させると共に、水位検知手段１２の信号により、給水弁１１を開放して給水を再開し、所定水位まで給水を行う。
【００２６】
回転ドラム３の前記タンブリングにおいては、回転ドラム３内の洗濯物は回転ドラム３内に設けた突起板（図示せず）に引っかかり、持ち上げられて落下することによりたたき洗いが行われる。このたたき洗いでは、洗濯物に落下時の運動エネルギーが効果的に加えられるように洗濯物は回転ドラム３の壁面に遠心力によって張り付かない程度の回転速度が好ましく、洗濯物の量にも依存するが５０ｒ／ｍｉｎ程度が好ましい。回転ドラム３の回転方向は、同一方向でも、定期的に切り替えることとしてもよい。また、この時、回転ドラム３は一時的に停止していても差し支えない。
【００２７】
洗い時間が所定時間経過し、洗い工程１が終了すると、制御手段１４は洗い工程２（第２の洗い工程）を開始するために排水弁６を開き、排水管７を通して水受け槽２内の洗濯水の排水を行う。排水が完了すると、洗濯物に含有する水量を少なくした状態でヒータ２３による温風での加熱を行うため、洗濯物に含まれる水量の調整を開始する。この水量の調整は脱水を用いるため、制御手段１４は回転ドラム３のバランスコントロールを行い、回転ドラム３の回転数を上昇させる。具体的には、洗濯物の含水量は洗濯物の乾燥重量の約２倍を想定しているため、例えば回転ドラム３の回転数を約２５０ｒ／ｍｉｎで所定時間保持した後、その回転を停止させる。制御手段１４は、回転ドラム３の回転数を停止させた後、回転ドラム３に対し約５０ｒ／ｍｉｎで約３０秒毎に右回転・左回転を行うタンブリングを開始させると共に、ヒータ２３への通電を行わせ、風路２２からは水受け槽２に設けられた通風口２４を通して、前記ヒータ２３で暖められた例えば約７０℃の風を回転ドラム３内に送風する。この時、水受け槽２の水は少ないため循環ポンプ１０の運転は停止している。
【００２８】
前記回転ドラム３のタンブリングとヒータ２３にて暖められた空気の送風が所定時間完了すると、制御手段１４はヒータ２３への通電と送風とタンブリングを停止させ、洗い工程２が終了し、すすぎ工程１（１回目のすすぎ工程）に入る。この洗い工程２が終了した段階で、洗濯物の温度は約４０℃まで上昇している。
【００２９】
すすぎ工程１で、初期の設定において、すすぎを２回以上実施すると設定されている場合は、１回目のすすぎにおける中間脱水１は実施しない構成になっている。このすすぎ工程１の動作について説明を行う。すすぎ工程１が開始されると、制御手段１４は、給水弁１１を閉じて給水を開始する。この時、給水された水は、洗剤ケース（図示せず）を通り、水受け槽２に溜められていく。回転ドラム３は約５０ｒ／ｍｉｎで一定方向回転しており、循環ポンプ１０は駆動しており、水受け槽２の洗濯水は循環経路９を通り、回転ドラム３内に循環シャワーとして吐出される。
【００３０】
制御手段１４は、水位検知手段１２により所定水位に到達したと判断すると、給水弁１１を閉じることにより、水受け槽２への給水を停止すると共に、循環ポンプ１０の運転も停止させる。給水を開始する前の洗濯物の温度は約４０℃であったが、中間脱水１を行わず給水のみを行っている。この時所定水位までの給水量は中間脱水１を行っていないため少なくて済むため、洗濯物量が例えば４．５ｋｇの場合給水量は約１５Ｌとなり通常より５〜６Ｌ少なくなっている。また、この時に給水される水の温度が２０℃の場合洗濯物の温度は前記４０℃よりは低くなるが室温が２３℃では２７〜３０℃の温度に保持され、この状態ですすぎ工程１の撹拌が行われる。
【００３１】
通常、中間脱水１が終了してからのすすぎ工程１の給水・撹拌時間は２〜３分程度であるが、洗濯にかかる時間を同じにした場合中間脱水に必要な時間は３〜４分であるため、この時間をすすぎ工程１における給水・撹拌時間に割り当てることができる。例えば、この中間脱水１の時間をすすぎ工程１の給水・撹拌時間に割り当てた場合、給水・撹拌を５〜７分実施できることになる。つまり、前記したように洗濯物の温度が２７〜３０℃で、循環ポンプ１０がＯＮ−ＯＦＦ運転した状態で給水撹拌を５〜７分行う。この時、洗濯物の温度は通常のすすぎ温度よりも高く、洗濯物に残存している洗剤量も多く、撹拌時間も長くなっているため、このすすぎ工程１の給水・撹拌ではすすぎばかりではなく洗濯物の洗浄も実施される。つまり、洗濯物に残存している通常よりも洗剤が多く残存しており、これらの洗濯物は通常より高い水温でかつ長い時間撹拌されるため、前記洗い工程で除去できず洗濯物に付着している汚れ成分がこのすすぎ工程１時に洗濯物より剥ぎ取られることにより洗浄性能が大幅上昇する効果が得られることになる。
【００３２】
制御手段１４が所定時間経過したと判断すると、制御手段１４はすすぎ工程１が終了したと判断し、すすぎ工程２（２回目のすすぎ工程）に移行するため、排水弁６を開いて水受け槽２に溜まっているすすぎ水を排水する。排水が完了すると、すすぎ工程２の中間脱水２が開始されることになり、制御手段１４は回転ドラム３を回転させ、バランスコントロールを経て所定回転数である９００ｒ／ｍｉｎまで回転ドラム３の回転数をアップさせる。この中間脱水２により、洗濯物に残存している洗濯水はドラム式洗濯機１の外に排出され、洗濯物に含まれる洗濯水は少なくなる。回転ドラム３が９００ｒ／ｍｉｎで所定時間回転すると、制御手段１４はモータ４に信号を送り、回転ドラム３の回転を停止させる。
【００３３】
回転ドラム３の停止後、制御手段１４は、給水弁１１を閉じて給水を開始する。この時、給水された水は、洗剤ケース（図示せず）を通り、水受け槽２に溜められていく。回転ドラム３は５０ｒ／ｍｉｎで一定方向での回転を開始し、循環ポンプ１０は駆動しており、水受け槽２の洗濯水は循環経路９を通り、回転ドラム３内に循環シャワーとして吐出される。制御手段１４は、水位検知手段１２により所定水位に到達したと判断すると、給水弁１１を閉じることにより、水受け槽２への給水を停止する。制御手段１４は所定時間が経過したと判断すると、すすぎ工程２が終了したと判断し、制御手段１４は排水弁６を開いて水受け槽２に溜まっているすすぎ水を排水する。
【００３４】
排水が完了すると、最終脱水が開始されることになり、制御手段１４は回転ドラム３を回転させ、バランスコントロールを経て回転ドラム３を最終回転数である９００ｒ／ｍｉｎまで回転数をアップさせる。この最終脱水により、洗濯物に残存している洗濯水はドラム式洗濯機１の外に排出され、洗濯物に含まれる洗濯水は少なくなる。回転ドラム３が９００ｒ／ｍｉｎで所定時間回転すると、制御手段１４はモータ４に信号を送り、回転ドラム３の回転を停止させる。回転ドラム３が停止した時点で、洗濯は終了し、制御手段１４はドラム式洗濯機１の電源を切る。
【００３５】
以上の様に、洗い工程２においては、その最初に排水と脱水が行われ、洗濯物に含まれる水量が低減されているため、回転ドラム３内へ風路２２の中に設置されているヒータ２３によって加熱された温風が導入されることにより洗濯物の温度は少ない熱量で上がり易くなる。洗い工程１で洗濯物に付着し剥がれ難かった汚れが、洗い工程２において、温風による熱・洗濯物に残存している洗剤・回転ドラムの撹拌の３つの力により洗濯物から剥がれるため洗浄性能が向上することになる。更に、洗い工程２の後のすすぎ工程１では、中間脱水１をなくし給水撹拌のみを実施しているため洗濯物やドラム式洗濯機１内に洗い工程２で加熱された暖かい水が残っており、ここにすすぎ用の水が給水されても洗濯物の温度は洗濯物やドラム式洗濯機１が保有する熱量等によりすすぎ用に給水される水の温度近くまで低下することはなく、暖かい水ですすぎの撹拌が実施されることより、すすぎ中でも洗濯物に残存する洗剤により、すすぎと洗いが同時に実施されることになり、洗濯物から剥がれ易くなっている汚れがこのすすぎにおいても効率的に洗濯物より除去されることになるため、洗浄性能が大幅向上することになる。
【００３６】
また、前記、この時中間脱水１は省略されているため全体の洗濯時間を変更しないとした場合、その中間脱水１の時間はすすぎの撹拌時間に活用できるため、前記に示した様に、洗濯物の洗浄性能の向上とすすぎ性能の向上の両方を図ることができる効果が得られる。また、この撹拌の時間をすすぎに利用した場合、すすぎ１とすすぎ２では、すすぎ１の方が洗剤濃度は高いため、同じ水量・同じすすぎ時間ではすすぎ１の方が洗濯物より洗剤を排出する効果は高いため、すすぎ性能が向上する効果が得られる。また、すすぎ２では柔軟剤が使用されるため、すすぎ２の撹拌時間にこの時間を利用すると柔軟剤が更に洗濯物に分散され易くなり、洗濯後の洗濯物の仕上がりが良好となる効果が得られる。また、すすぎ１とすすぎ２の撹拌時間にこの時間を分配した場合には、前記すすぎ効果と柔軟剤の分散効果の２つの効果のバランスを取った洗濯を行うことができる効果が得られる。
【００３７】
尚、本実施の形態において、水受け槽２および回転ドラム３は水平に配置されたものとしたが、水受け槽２および回転ドラム３は傾斜していてもよい。また、洗い工程１・すすぎの給水量、洗い・脱水等の回転ドラム３の回転数等は特に指定する物ではない。
【産業上の利用可能性】
【００３８】
以上のように、本発明にかかる洗濯機は、洗濯物を収容する回転ドラムと、前記回転ドラムを収容する水受け槽と、前記水受け槽内に給水する給水手段と、前記水受け槽内の水位を検知する水位検知手段と、前記水受け槽内の洗い水を前記回転ドラム内に吐出させる水循環手段と、前記回転ドラム内へ温風を導入する加熱手段を有する風路と、回転ドラムを駆動させる駆動手段と前記給水手段、前記水循環手段および前記加熱手段を制御し、洗い工程等を制御する制御手段とを備え、前記制御手段は、第１の洗い工程完了後の排水と脱水によりその含水量が少なくなった洗濯物に対し、前記温風の導入と回転ドラムの回転による第２の洗い工程を行い、第２の洗い工程完了後の２回以上実施されるすすぎ工程における１回目のすすぎでは中間脱水を行わず給水してすすぎを行うものであり、洗浄力を向上させたり、洗濯時間を削減したり、洗濯での省エネを図ることを目的とする。
【符号の説明】
【００３９】
１  ドラム式洗濯機
２  水受け槽
３  回転ドラム
４  モータ（駆動手段）
５  取水口
６  排水弁
７  排水管
８  吐出口
９  循環経路
１０  循環ポンプ（水循環手段）
１１  給水弁（給水手段）
１２  水位検知手段
１４  制御手段
２３  加熱手段
【図１】
2014079350.tif 000003
【図２】
2014079350.tif 000004
【図３】
2014079350.tif 000005